(57)【特許請求の範囲】
【請求項１】
利用者の顔を撮影して顔画像を得る撮影部と、
前記撮影部で得られた顔画像と、予め記憶されている顔画像とを照合して顔認証を行う認証部と、
前記撮影部で得られた顔画像に対し、顔の特徴部分の視認性を低下させる加工を施す加工部と、
前記加工部によって加工された顔画像を、顔の撮影位置を確認するために表示する表示部と、を備え、
前記表示部が、前記加工部による加工が低減された新たな顔画像を、認証を助ける情報として、前記認証部によって認証が失敗した場合に表示するものであることを特徴とする顔認証装置。
【請求項２】
前記加工部が、顔の特徴部分の位置を示す画像で該特徴部分を隠す加工を施すものであることを特徴とする請求項１記載の顔認証装置。
【請求項３】
前記加工部が、視認性を低下させる加工を前記顔画像中の顔全体に施すものであることを特徴とする請求項１記載の顔認証装置。
【請求項４】
前記加工部が、顔の特徴部分のうち、少なくとも目、鼻、口、および輪郭については位置が分かるように加工を施すものであることを特徴とする請求項１記載の顔認証装置。
【請求項５】
前記加工部が、顔の特徴部分の視認性を低下させるとともに顔の輪郭については強調する加工を施すものであることを特徴とする請求項１から４のいずれか１項に記載の顔認証装置。
【発明の詳細な説明】
【技術分野】
【０００１】
本発明は、顔認証装置に関する。
【背景技術】
【０００２】
従来、利用者の顔を撮影した顔画像で利用者の認証を行う顔認証装置が知られている。
【０００３】
このような顔認証装置においては、顔画像の撮影位置を利用者が確認するために、カメラに写っている画像をモニタ画面に表示している。このように表示される自分の顔を見ることを嫌う利用者もいるため、表示する顔画像にメークアップを施して抵抗感を低減させることが考えられる。
【０００４】
例えば特許文献１には、動画像に含まれるユーザの顔をメイクアップできるメイクアップシミュレーション装置が提案されている。
【先行技術文献】
【特許文献】
【０００５】
【特許文献１】特許第５２６１５８６号公報
【発明の概要】
【発明が解決しようとする課題】
【０００６】
しかしながら、顔認証装置の普及が広がり、例えばプリンタや複合機などにも搭載されるようになると、そのようなプリンタなどの利用のためだけに自分自身の顔を見なければならないこと自体に抵抗感を有する利用者も増えており、顔画像にメークアップなどを施して美化してもこのような抵抗感は改善されない。
【０００７】
本発明は、顔認証のために撮影された顔画像を表示する構成に較べて顔画像が表示されることによる利用者の抵抗感を緩和することを目的とする。
【課題を解決するための手段】
【０００８】
請求項１に係る顔認証装置は、
利用者の顔を撮影して顔画像を得る撮影部と、
上記撮影部で得られた顔画像と、予め記憶されている顔画像とを照合して顔認証を行う認証部と、
上記撮影部で得られた顔画像に対し、顔の特徴部分の視認性を低下させる加工を施す加工部と、
上記加工部によって加工された顔画像を、顔の撮影位置を確認するために表示する表示部と、を備え、
上記表示部が、上記加工部による加工が低減された新たな顔画像を、認証を助ける情報として、上記認証部によって認証が失敗した場合に表示するものであることを特徴とする。
【０００９】
請求項２に係る顔認証装置は、
上記加工部が、顔の特徴部分の位置を示す画像でその特徴部分を隠す加工を施すものであることを特徴とする。
【００１０】
請求項３に係る顔認証装置は、
上記加工部が、視認性を低下させる加工を上記顔画像中の顔全体に施すものであることを特徴とする。
【００１１】
請求項４に係る顔認証装置は、
上記加工部が、顔の特徴部分のうち、少なくとも目、鼻、口、および輪郭については位置が分かるように加工を施すものであることを特徴とする。
【００１２】
請求項５に係る顔認証装置は、
上記加工部が、顔の特徴部分の視認性を低下させるとともに顔の輪郭については強調する加工を施すものであることを特徴とする。
【発明の効果】
【００１６】
請求項１に係る顔認証装置によれば、顔画像を美化する場合に較べて上記抵抗感を緩和することができる。
【００１７】
請求項２に係る顔認証装置によれば、特徴部分の位置が分からない場合に較べて撮影位置の確認が容易である。
【００１８】
請求項３に係る顔認証装置によれば、加工を顔の一部に施す場合に較べて上記抵抗感をより改善することができる。
【００１９】
請求項４に係る顔認証装置によれば、目、鼻、口、および輪郭の位置が分からない場合に較べて撮影位置の確認が容易である。
【００２０】
請求項５に係る顔認証装置によれば、顔の輪郭を強調しない場合に較べて撮影位置の確認が容易である。
【図面の簡単な説明】
【００２４】
【図１】本発明の顔認証装置の一実施形態が搭載された複合機の外観図である。
【図２】図１に示す複合機のハードウェア構成を概念的に示した構成図である。
【図３】本発明の顔認証装置の一実施形態としての機能構成を示す機能ブロック図である。
【図４】第１実施形態における顔認証装置の動作手順を示すフローチャートである。
【図５】撮影部（カメラ）の動作モードがスルーモードである場合に表示部に表示される画像の例を示す図である。
【図６】撮影部（カメラ）の動作モードが画像加工モードである場合に表示部に表示される画像の例を示す図である。
【図７】顔画像加工度が減算された場合に表示部に表示される画像の例を示す図である。
【図８】顔画像加工度が更に減算された場合に表示部に表示される画像の例を示す図である。
【図９】顔画像加工度が減算された場合の別の表示例を示す図である。
【図１０】特徴部分の位置を示した画像の表示例を示す図である。
【図１１】第２実施形態における顔認証装置の動作手順を示すフローチャートである。
【図１２】第３実施形態における顔認証装置の動作手順を示すフローチャートである。
【発明を実施するための形態】
【００２５】
本発明の実施形態について、以下図面を参照して説明する。
【００２６】
図１は、本発明の顔認証装置の一実施形態が搭載された複合機の外観図である。
【００２７】
図１に示す複合機１００は、プリンタ、コピー機、スキャナ、ファクシミリとしての機能を有している。
【００２８】
複合機１００は、外観上、本体部１０１の上部に読取部１０２が載った構造を有する。読取部１０２は原稿の画像を読み取るものである。
【００２９】
また、複合機１００の上部の正面側に操作部１０３および表示部１０４が配備されていて、複合機１００の利用者はこの操作部１０３を、複合機１００の正面側に立って操作する。
【００３０】
操作部１０３は、利用者が複合機１００に動作などを指示するために操作するものであり、表示部１０４は、複合機１００の動作状態や複合機１００に対する操作内容などを表示するものである。
【００３１】
複合機１００には、本発明の顔認証装置の一実施形態が搭載されている。そして、顔認証に用いられる顔画像を撮影で得るため、複合機１００には撮影部（カメラ）１０５も備えられている。この撮影部（カメラ）１０５によって得られた顔画像は、利用者が撮影位置を確認するなどの目的で表示部１０４に表示される。
【００３２】
図２は、図１に示す複合機１００のハードウェア構成を概念的に示した構成図である。
【００３３】
複合機１００には、図１にも示した読取部１０２、操作部１０３、表示部１０４、撮影部１０５、が備えられているとともに、上述した本体部１０１内には、画像形成部１０６、制御部１０７、通信部１０８も備えられている。
【００３４】
画像形成部１０６は、例えば電子写真方式などで用紙上に画像を形成するものであり、通信部１０８は、パーソナルコンピュータなどの外部機器からプリント用の画像データ等を得るものである。制御部１０７は、複合機１００全体の動作制御を担うものであって、例えばＣＰＵなどの演算素子やＲＯＭなどの記憶手段やタイマなどを備えたいわゆるボードコンピュータである。
【００３５】
複合機１００の構成要素のうち、表示部１０４と撮影部１０５と制御部１０７によって、本発明の顔認証装置の一実施形態としての機能が実現されている。
【００３６】
図３は、本発明の顔認証装置の一実施形態としての機能構成を示す機能ブロック図である。
【００３７】
機能としての顔認証装置２００は、撮影部２０１、分析部２０２、認証部２０３、記憶部２０４、加工部２０５、表示部２０６を備えている。顔認証装置２００における撮影部２０１および表示部２０６は、ハードウェアとしては、図１および図２に示す撮影部１０５および表示部１０４がそれぞれ担っている。また、顔認証装置２００における分析部２０２、認証部２０３、記憶部２０４、および加工部２０５は、ハードウェアとしては、図２に示す制御部１０７が担っている。
【００３８】
撮影部２０１は、撮影範囲である複合機１００周辺の映像を常時撮影するものである。この撮影により、複合機１００の利用者については、複合機１００に接近中の様子を示す画像や、接近後の顔の画像などが得られる。
【００３９】
分析部２０２は、撮影部２０１によって撮影された画像を分析して、画像中の人物や顔等を検出するものである。分析方法については、従来知られた任意の分析方法が採用され得るので、ここでは詳細説明は省略する。但し、顔の検知に関しては、顔を構成する目、鼻、口などの部品を検出することで顔と判断しており、設定の変更によって検出精度が変更されるものとする。すなわち、設定が厳しいと、顔でないものを顔と判断する誤検知は減るが、本当に顔であるのに顔でないと判断する検知漏れが増える。一方、設定が緩いと、誤検知は増えるが検知漏れは減る。
【００４０】
認証部２０３は、分析部２０２によって検出された顔の画像を認証用の顔画像と照合することで利用者を認証するものである。
【００４１】
記憶部２０４は、認証用の顔画像を予め記憶するものである。
【００４２】
加工部２０５は、撮影部２０１によって撮影された画像を表示用に加工するものである。加工部２０５による加工の詳細については後述する。
【００４３】
表示部２０６は、撮影部２０１によって撮影された画像や加工部２０５によって加工された画像を表示するものである。撮影部２０１は動作モードとしてスルーモードと画像加工モードとを有し、スルーモードでは表示部２０６が、撮影部２０１によって撮影された画像をそのまま表示し、画像加工モードでは表示部２０６が、加工部２０５によって加工された画像を表示する。表示部２０６は、画像の表示以外にも、顔認証に必要な情報を表示する。表示部２０６によって表示される内容の詳細についても後述する。
【００４４】
以下、顔認証装置２００の動作についてフローチャートと図３を参照しながら説明する。
【００４５】
図４は、顔認証装置２００の動作手順を示すフローチャートである。
【００４６】
図４に示す顔認証装置２００としての動作は、複合機１００の電源が投入されると、複合機１００の電源が落とされるまで繰り返し実行される。
【００４７】
顔認証装置２００としての動作が開始されると、まず、初期設定で、撮影部（カメラ）２０１の動作モードがスルーモードに設定され、認証の失敗回数は値「０」にリセットされ、顔画像加工度は値「１０」に設定される（ステップＳ１０１）。
【００４８】
次に、撮影部（カメラ）２０１による撮影で得られた撮影画像中に顔らしいものが写ったか否かが判定される（ステップＳ１０２）。この判定に際して分析部２０２は、顔の検出を緩めの設定で実行する。このような緩めの設定による検知でも顔が検知されない場合（ステップＳ１０２；Ｎ）は動作手順がステップＳ１０１に戻る。
【００４９】
緩めの設定による検知で分析部２０２が顔を検知した場合（ステップＳ１０２；Ｙ）は、撮影部（カメラ）２０１の動作モードが画像加工モードに設定される（ステップＳ１０３）。この結果、表示部２０６には、加工部２０５によって加工された画像が表示される。
【００５０】
ここで、表示部２０６に表示される画像について説明する。
【００５１】
図５は、撮影部（カメラ）２０１の動作モードがスルーモードである場合に表示部２０６に表示される画像の例を示す図である。
【００５２】
スルーモードの場合、撮影部（カメラ）２０１の撮影で得られた撮影画像３００がそのまま表示部２０６に表示される。この撮影画像３００中には、利用者の人物画像３１０が写っている場合もあるし、その人物画像３１０の一部には顔画像３２０が含まれている場合もある。顔画像３２０は、目３２１や鼻３２２や口３２３や耳３２４や眉３２５や輪郭３２６などといった構成部品（パーツ）で成り立っている。これらの構成部品は、顔画像３２０が誰の顔であるかを示しており、顔の特徴部分とも称される。スルーモードで顔画像３２０が表示されるとこれらの構成部品もそのまま表示されることになるので、利用者に抵抗感を覚えさせることとなる。
【００５３】
一方で、撮影画像３００中には、認証用の顔画像を得るために適した撮影位置３３０が存在し、顔画像３２０がこの撮影位置３３０に対して適切に位置合わせされると認証が成功しやすい。
【００５４】
そこで、利用者の上記抵抗感を減らすとともに、顔画像３２０の位置合わせを容易にするため、本実施形態では画像加工モードによる表示が行われる。
【００５５】
図６は、撮影部（カメラ）２０１の動作モードが画像加工モードである場合に表示部２０６に表示される画像の例を示す図である。
【００５６】
図６には、顔画像加工度が「１０」である場合の表示例が示されている。本実施形態では、値「１０」が顔画像加工度の最大値であり、撮影画像３００中で分析部２０２が顔画像３２０として検知した部分は、加工部２０５による加工によって暗く塗りつぶされた状態となる。この結果、目や鼻や口などは形も位置も分からない状態となり、顔画像３２０から個人を特定する上記特徴部分の殆どが不可視となっている。これにより、利用者は、自分の顔が写っているという認識が低く、利用者が覚える上記抵抗感は緩和される。
【００５７】
一方で、輪郭３２６については、加工部２０５により背景３０１との境界部分３０２が明るく加工されることで強調されている。輪郭３２６の強調は、例えば特許第４５５２０１８号などに開示の公知技術を適宜採用することで実現されるのでここでは詳細説明は省略する。このように輪郭３２６が強調された画像を利用者が参照することで、利用者は、顔画像３２０を上述した撮影位置３３０に対して位置合わせすることが容易となる。但し、目や鼻や口などの位置が分からないので顔の向きも含めた位置合わせは難しい場合がある。
【００５８】
図４に示すステップＳ１０３で撮影部（カメラ）２０１の動作モードが画像加工モードに設定されると表示部２０６にはこのように加工された顔画像３２０を含んだ撮影画像３００が表示されることになる。
【００５９】
顔認証装置２００の動作手順としては、次に、撮影画像中の顔らしいものについて、顔と判断できたか否かが判定される（ステップＳ１０４）。この判定に際して分析部２０２は、顔の検出を厳しい設定で実行する。
【００６０】
このような厳しい設定で分析部２０２が顔と判断した場合（ステップＳ１０４；Ｙ）は、認証部２０３がその顔を、記憶部２０４に記憶（登録）されている顔と照合して認証を行う（ステップＳ１０５）。そして、撮影画像中の顔が、記憶部２０４に記憶（登録）されている顔に一致するか否かが、認証部２０３による認証で判定される（ステップＳ１０６）。一般に、記憶部２０４には複数の利用者の顔が記憶（登録）されており、撮影画像中の顔が、登録されている顔のいずれかと一致した場合には認証が成功した（ステップＳ１０６；Ｙ）ことになる。その後、撮影部（カメラ）２０１の動作モードがスルーモードに設定され、認証の失敗回数は値「０」にリセットされ、顔画像加工度も値「０」にリセットされて（ステップＳ１０７）、顔認証装置２００としての動作手順は終了する。
【００６１】
認証が成功して顔認証装置２００としての動作手順が終了した場合には、図１に示す複合機１００は、認証された利用者に応じた操作を受け付けることになる。例えば、その利用者自身が外部装置から送った画像データに基づいたプリントの実行指示などが受け付けられることになるが、詳細説明は省略する。
【００６２】
上述したステップＳ１０６における判定で、撮影画像中の顔が記憶（登録）されている顔のいずれとも一致しないと判定された場合（ステップＳ１０６；Ｎ）は、顔認証エラーの通知が表示部２０６によって表示される（ステップＳ１０８）。その後、認証の失敗回数が１０回未満である場合（ステップＳ１１０；Ｙ）は、失敗回数が１加算される（ステップＳ１１１）とともに、顔画像加工度が１減算され（ステップＳ１１２）て、ステップＳ１０２に動作手順が戻り、上述した動作が繰り返される。
【００６３】
上述したステップＳ１０４における判定で、顔とは判断できないと判定された場合（ステップＳ１０４；Ｎ）も、顔検知失敗の通知が表示部２０６によって表示され（ステップＳ１０９）、その後、認証の失敗回数が１０回未満である場合（ステップＳ１１０；Ｙ）は、失敗回数が１加算される（ステップＳ１１１）とともに、顔画像加工度が１減算され（ステップＳ１１２）て、ステップＳ１０２に動作手順が戻り、上述した動作が繰り返される。
【００６４】
このように動作が繰り返された結果として認証の失敗が続くと、失敗回数が次第に増えるとともに顔画像加工度が次第に減っていくことになる。
【００６５】
ここで、顔画像加工度が減算された場合に表示部２０６に表示される画像について説明する。
【００６６】
図７は、顔画像加工度が減算された場合に表示部２０６に表示される画像の例を示す図である。
【００６７】
図７には、顔画像加工度が「１０」から例えば「７」などに減った場合の表示例が示されている。
【００６８】
図７に示す例でも、図６と同様に、撮影画像３００中の顔画像３２０部分が暗く塗りつぶされているが、塗りつぶしの範囲は、図７の顔画像３２０の方が図６の顔画像３２０よりも狭くなっている。つまり、この例では、顔画像加工度が減ると加工部２０５は、顔画像３２０における塗りつぶし範囲を減らす。このように塗りつぶし範囲が減ることで顔の視認性が増しているが、図７に示す例では図６と同様に特徴部分の殆どが不可視となっているので、自分の顔を見ることによる利用者の抵抗感は低い。一方で、塗りつぶし範囲が減ることで顔の視認性が増したので、撮影位置３３０に対する顔画像３２０の位置合わせが更に容易となっている。
【００６９】
図８は、顔画像加工度が更に減算された場合に表示部２０６に表示される画像の例を示す図である。
【００７０】
図８には、顔画像加工度が例えば「７」から例えば「４」などに減った場合の表示例が示されている。
【００７１】
図８に示す例では、顔画像３２０中の特徴部分のうち、目３２１、鼻３２２、口３２３、耳３２４が、加工部２０５による加工によって、丸い画像３４０で隠されている。このように画像３４０で隠されていることで目３２１、鼻３２２、口３２３、耳３２４については不可視となっているので個人は特定されず、自分の顔を見ることによる利用者の抵抗感は充分に低い。
【００７２】
一方、目３２１、鼻３２２、口３２３、耳３２４を隠している画像３４０の位置によりそれら特徴部分の位置は確認される。また、輪郭３２６については未加工の状態であるため形も位置も視認される。このため、撮影位置３３０に対する顔画像３２０の位置合わせが、顔の向きなども含めて適切に行われることになる。
【００７３】
図８では一例として、目３２１、鼻３２２、口３２３、耳３２４、および輪郭３２６の位置が分かるような加工が顔画像３２０に施されているが、少なくとも目３２１、鼻３２２、口３２３、および輪郭３２６の位置が分かるような加工であると、顔の向きなども含めた顔画像３２０の位置合わせに有効である。
【００７４】
このように、図６〜図８に示す例では、認証の失敗回数が増えて顔画像加工度が減るにつれて顔画像３２０中の隠された範囲が減るが、本発明にいう加工部は、別の方式で顔画像３２０の加工を低減するものであってもよい。
【００７５】
図９は、顔画像加工度が減算された場合の別の表示例を示す図である。
【００７６】
図９に示す例では、顔画像加工度が減るにつれて、撮影画像３００中の顔画像３２０部分を塗りつぶす濃さが減る。この結果、認証の失敗回数が増えて顔画像加工度が減るにつれて顔画像３２０中の目３２１、鼻３２２、口３２３、耳３２４などの視認性が次第に増す。
【００７７】
更に別の例としては、顔画像３２０部分を塗りつぶす濃さはそのままで、顔画像加工度が減るにつれて顔画像３２０中の目３２１、鼻３２２、口３２３、耳３２４などを次第にハッキリとネガ表示するものであってもよい。ネガ表示された特徴部分は、人間にとっては個人認識が難しいので、特徴部分がネガ表示された顔画像３２０は、自分の顔を見ることによる抵抗感を利用者に与えにくい。
【００７８】
更にまた別の例としては、顔画像３２０部分を塗りつぶす濃さはそのままで、特徴部分の位置だけを示した画像を表示してもよい。
【００７９】
図１０は、特徴部分の位置を示した画像の表示例を示す図である。
【００８０】
図１０に示す例では、撮影画像３００中の顔画像３２０部分は暗く塗りつぶされているので目３２１、鼻３２２、口３２３、耳３２４などは不可視となっている。そして、目３２１、鼻３２２、口３２３、耳３２４の位置には、それらの位置を表した丸い画像３５０が表示されている。このような表示によっても、撮影位置３３０に対する顔画像３２０の位置合わせが、顔の向きなども含めて適切に行われる。
【００８１】
図４に示す顔認証装置２００の動作では、認証の失敗回数が１０回未満である間（ステップＳ１１０；Ｙ）は、上述したように顔画像加工度が減算されることで、顔の位置合わせのために必要な情報（即ち特徴部分の位置など）が利用者に提供されることになる。一方、認証の失敗回数が１０回に達した場合には（ステップＳ１１０；Ｎ）、特徴部分の位置情報などでは利用者が正しい位置合わせを行うのに情報不足であると考えられる。このため、図４に示す例では、認証を成功させる（即ち顔認証装置２００に正しく顔を検知させる）ためのヒントが表示部２０６に表示される（ステップＳ１１３）。このときのヒントとして、本実施形態では、検知に失敗している画像部品の情報に基づいたヒントを採用しているものとする。即ち、目が検知されない場合には「前髪を上げましょう」とか「眼鏡を掛けてませんか？」といった文言が表示され、口が検知されない場合には「マスクは外してください」などの文言が表示される。利用者は、このように表示されるヒントによって顔の正しい位置合わせを行うことになるので、認証が成功する確率が向上する。
【００８２】
以上で第１実施形態についての説明を終了し、次に、図４のフローチャートが示す動作手順とは異なる動作手順を行う第２実施形態について説明する。
【００８３】
図１１は、第２実施形態における顔認証装置２００の動作手順を示すフローチャートである。
【００８４】
図１１のフローチャートに含まれる各ステップのうち、図４のフローチャートにおけるステップと同等のステップについては同一の符号を付して重複説明を省略する。
【００８５】
図１１のフローチャートが示す動作手順の場合、ステップＳ１０１における初期設定の前に人検知状態が「未検知」に設定される（ステップＳ２０１）。そして、初期設定の後、撮影部（カメラ）２０１による撮影で得られた撮影画像から分析部２０２により人物らしいものの接近が検知されたか否かが判定される（ステップＳ２０２）。
【００８６】
人物の接近が検知されない間（ステップＳ２０２；Ｎ）は、人検知状態が「未検知」に設定されて（ステップＳ２０３）、ステップＳ１０１における初期設定に動作手順が戻る。一方、人物の接近が検知された場合（ステップＳ２０２；Ｙ）にはステップＳ１０２に進み、撮影画像中に顔らしいものが写ったか否かが判定される。そして、顔らしいものが分析部２０２で検知された場合（ステップＳ１０２；Ｙ）は、撮影部（カメラ）２０１の動作モードが画像加工モードに設定されるとともに、人検知状態が「検知中」に設定される。人検知状態が「検知中」の間は、図４のフローチャートが示す動作と同様に、加工部２０５による顔画像の加工や表示部２０６による画像表示や認証部２０３による認証が実行される。
【００８７】
このように、第２実施形態では、人物の接近が検知されないうちは加工部２０５による顔画像の加工が行われないので、撮影部（カメラ）１０５を例えば監視カメラなどにも兼用しているような場合であっても制御部１０７における過剰負荷は回避される。
【００８８】
次に、図４のフローチャートが示す動作手順とは異なる動作手順を行う第３実施形態について説明する。
【００８９】
図１２は、第３実施形態における顔認証装置２００の動作手順を示すフローチャートである。
【００９０】
図１２のフローチャートについても、各ステップのうち図４のフローチャートにおけるステップと同等のステップについては同一の符号を付して重複説明を省略する。
【００９１】
第３実施形態の場合、初期設定が行われ（ステップＳ１０１）、撮影画像中に顔らしいものが検出され（ステップＳ１０２）、撮影部（カメラ）２０１の動作モードがスルーモードから画像加工モードに変更されると（ステップＳ１０３）、タイマが開始される（ステップＳ３０１）。そして、タイマが一定時間を経過（タイムアップ）する（ステップＳ３０２；Ｙ）と、ステップＳ１０１の初期設定に動作が戻る。
【００９２】
タイムアップに達していない場合（ステップＳ３０２；Ｎ）には、顔画像加工度が１減算され（ステップＳ３０３）、以下、図４のフローチャートが示す動作と同様に、加工部２０５による顔画像の加工や表示部２０６による画像表示や認証部２０３による認証が実行される。
【００９３】
このような第３実施形態では、例えば利用者が認証に成功しないまま複合機１００の前から立ち去ってしまったような場合には、タイマのタイムアップ（ステップＳ３０２；Ｙ）により顔認証装置２００の動作が初期状態に復帰する。この結果、利用者の立ち去り後に別の利用者が複合機１００を利用するような場合でも、顔画像加工度が減った状態（即ち顔の視認性が高い状態）で顔画像が表示されてしまうという事態が回避される。
【符号の説明】
【００９４】
１００……複合機、１０１……本体部、  １０２……読取部、  １０３……操作部、１０４……表示部、１０５……撮影部（カメラ）、１０６……画像形成部、１０７……制御部、１０８……通信部、２００……顔認証装置、２０１……撮影部、２０２……分析部、２０３……認証部、２０４……記憶部、２０５……加工部、２０６……表示部、３００……撮影画像、３１０……人物画像、３２０……顔画像、３２１……目、３２２……鼻、３２３……口、３２４……耳、３２５……眉、３２６……輪郭、
【図１】
0006769060.tif 000002
【図２】
0006769060.tif 000003
【図３】
0006769060.tif 000004
【図４】
0006769060.tif 000005
【図５】
0006769060.tif 000006
【図６】
0006769060.tif 000007
【図７】
0006769060.tif 000008
【図８】
0006769060.tif 000009
【図９】
0006769060.tif 000010
【図１０】
0006769060.tif 000011
【図１１】
0006769060.tif 000012
【図１２】
0006769060.tif 000013